(57)【要約】【課題】本発明はゴルフ用ティの構造に関するもので、使用性と経済性を持たらすようにする。【解決手段】本体１の一側に掛環２を形成して携帯を簡便にし、本体１の一側にティ挿入孔３を複数個穿孔してそれらの孔３に各々大きさが異なるティ４を挿入して結合できるようにし、本体１とティ４とを連結紐８で連結してティ４が本体１から離脱しないようにする。ティ４は軟性の合成樹脂で構成し、その下部には金属製からなるピン７を一体化で構成して使用時金属製のピンが地面にさしこまれる状態にするので、ピン７がティショットをしたときに折れる念慮がなく、紛失される念慮が無いし、本体１には掛環２を形成しているので、プレーヤーのパンツのバンド環等に嵌めこんで携帯することができる。【選択図】図１
2004501732.tif 000002
【特許請求の範囲】
【請求項１】
軟質でなる本体１の一側に掛環２を形成して携帯を簡便にし、上記本体１の他側にティ挿入孔３を複数個形成し、上記ティ挿入孔３に長さが各其異なる類型のティ４が嵌めこまれて結合されるようにし、上記本体１とティ４間にはティ４の紛失防止の為の紐８が連結されたことを特徴とするゴルフ用ティの構造。
【請求項２】
ティ４は軟性の合成樹脂からなるティ本体６と金属製のピン７が一体化で結合構成されたことを特徴とする請求項１記載のゴルフ用ティの構造。
【発明の詳細な説明】
【０００１】
【発明の属する技術分野】
本発明はゴルフ用ティの構造に関するもので、使用と携帯が容易であり、ゴルフ用ティの紛失毀損が最小化されるようにし、使用性と経済性を持つようにしたことに、目的を置いたものである。
【０００２】
【従来の技術】
一般的にゴルフにおいて、ティボックスでは棒形状からなるティを地面に挿入後、ティ上にゴルフボールを載置させてプレーヤが望むゴルフクラブを利用してショット（ティショットと云う）するようになっている。
【０００３】
【発明が解決しようとする課題】
一方、ゴルフボールが載置されているティは、一般的に木材或いは合成樹脂で形成されるが、概略図５のような形状に構成されておるもので、木材からなるティ１００は抵抗が少ないので良い反面、容易に折れる問題があり、非経済的であるばかりでなく、地面（ペアウェイ）に散って環境阻害要因をもたらした。
【０００４】
尚、合成樹脂からなるティ１００は容易に折れないが抵抗が大きいので、ボールの飛距離増大に脆弱点を現している実情がある。
【０００５】
この様な点を考慮して、近頃には合成樹脂からなるティ１００の場合、その材質を軟性の材質で構成し抵抗を最小化させている。
【０００６】
一方冬節期にゴルフをする場合、地面が凍っているため、ティ１００が地面に差し込まれない問題と、地面にティ１００を挿入しティショットをする場合、大部分のティ１００は容易に折れる問題があったもので、精神集中がなされるべきゴルファー等には、心的なストレスを与えるようになり同時に経済的でなかったものである。
【０００７】
なお、冬節期でない夏節期に於いては、ティショットをした時、ティ１００が地面から抜け出て紛失される場合が多く発生したものである。
【０００８】
又、ゴルフ用ティ１００は使用しようとするゴルフクラブ及びプレーヤの嗜好に合うように、その長さが各々異なるように構成されている。
【０００９】
例えば長さが長く構成されたロングティ、長さが短いショートティ、またロングティとショートティの中間長さで構成されたミドルティ等、一般的に３種の類型に構成されているが、プレーヤーはこの様な３種の類型のティ１００をポケット或いは別途の保管容器に入れて携帯しながらプレイをしているもので、紛失或いは毀損が発生した場合、迅速なプレイの為には新しいティを前もって準備しなければいけなかったものである。
【００１０】
ここで、本発明は、３種の類型のティを１個所に便利に保管携帯することができ、ティの紛失と毀損が最小化され、特に冬節期に地面が凍った場合においても、地面にうまくさしこまれるティを提供することに目的を置いたもので、以下本発明の構成および作用効果を添付図面を土台にし詳細に説明する。
【００１１】
【課題を解決するための手段】
本発明はゴルフ用ティの構造に関するもので、使用性と経済性を持たらすようにしたもので、本体１の一側に掛環２を形成して携帯に簡便にし、本体１の一側にティ挿入孔３を複数個穿孔し、上記孔３に各々大きさが異なるティ４が挿入されて結合されるようにし、本体１とティ４間には連結紐８を形成しティ４が本体１から離脱しないようにし、尚、上記ティ４のティ本体６は軟性の合成樹脂で構成し、その下部には金属製からなるピン７を一体化で構成することで、使用時金属製のピンが地面にさしこまれる状態になるので、ティショットをしたときに折れる念慮がなく紛失される念慮もないし、本体には掛環が形成されているので、プレーヤーのパンツのバンド等に嵌めこんで携帯した状態で、プレイをすることができるので便利性を提供するものである。
【００１２】
【発明の実施の形態】
図１は本発明に従うゴルフ用ティの分解斜視図であり、図２はティの断面図であり、図３は本発明の使用状態を示した斜視図であり、図４は本発明のティを携帯が容易に組立てた状態の斜視図である。
【００１３】
図面符号１は本体である。
【００１４】
本体１は柔らかくて強い材質、例えば皮革材でなり、一側には掛環２が一体化で付着され、掛環２の反対側にはティ挿入孔３が複数個穿孔されている。
【００１５】
図面符号４はティである。
【００１６】
ティ４は図１及び図２に図示した通り、上部にはゴルフボール５が載置されうるように多少大きな直径からなるティ本体６が形成され、ティ本体６の下部には金属製からなるピン７がティ本体６側に一体化で固定されている。
【００１７】
なお、上記本体１とティ４間にはティ４の紛失防止の為の紐８が連結されている。
【００１８】
一方、上記ティ４のティ本体６は軟性の合成樹脂材で構成するのが望ましく、その下部のピン７は金属材でティ本体６側に螺絲式に嵌められて結合されるよう上部に螺線７ａが形成されており、下部は釘の如く螺線が形成されていない。
【００１９】
なお、ティ４と本体１間に連結された紐８は、図２に図示した様に紐８の一側は、ティ４のティ本体６に嵌めこまれたピン７の頭部分とティ本体６間に嵌められ固定されてティ本体６に穿孔された紐引出孔９を通じて外部に引出された後、その他側端部が掛環２と本体１の結合部分に結合固定されている。
【００２０】
一方、上記のティ４は３種の類型を充足することかてきるようロングティ、ミドルティ、ショートティが１セットで構成されるのが望ましく、本体１にも上記３種の類型のティが各々嵌められうるように３個のティ挿入孔３が穿孔されるのである。
【００２１】
この様に構成された本願発明のゴルフ用ティを実際状態をあげて説明する。
【００２２】
ゴルフをするプレーヤがティボックスでティショットをしようとする時には、図３に図示した様に所望するティ４を選択した後、下部に形成されたピン７を地面に挿入するとゴルフボール５が所定の高さに載置された状態になり、その他のティは本体１に結合された状態で地面にそのまま置かれることになる。
【００２３】
このような状態でティショットをすれば、例えばゴルフクラブのヘッドに依りティ４が当り、地面から離脱するとしても、ゴルフボールが載置されていたティは本体１と紐８で連結されているので、ティ４が従来の様に紛失される念慮が無いのである。
【００２４】
この様に、使用後携帯する時には使用したティ４のピン７を、本体１に穿孔された挿入孔３に嵌めて結合させた後、掛環２を利用しプレーヤのパンツのバンド環１０に嵌めこんで携帯すればよい。
【００２５】
尚、ティ４の使用が完了すれば掛環２を利用し、キャデーバッグに嵌めこんで保管する。
【００２６】
この様に本願発明のティ４は、掛環２が形成されているので携帯及び保管が容易であり、必要時いつでも、また希望するティ４を容易に探して使用することができる。
【００２７】
特に、冬節期には地面が凍って非常に硬い状態になるが、本願発明のティ４はピン７が金属材で構成されているので、非常に硬い地面に挿入させるのに大きな問題が無く、ティショット時クラブヘッドの衝撃が加えられても地面に支持されているピン７が金属材で構成されているので、従来の様に折れる念慮が無いのである。
【００２８】
尚、本発明のティ４はピン７が硬く、小さい直径で構成されているのでグリーン上でパットをする時マーカの代用にも使用することができるものである。
【００２９】
【発明の効果】
以上で見る様に本願発明のゴルフ用ティは、掛環を持つ本体に３種の類型のティが嵌められた状態でゴルフをするプレーヤに使用の便利性を提供するばかりでなく、本体とティ間に紐が連結されており、ティショットをする時紛失される念慮が無いようになり、冬節期において地面が凍って硬くてもピンが金属材からなっておるので、地面に挿入するのが容易であり、経済性の提供を受けることができるものである。
【図面の簡単な説明】
【図１】
本発明に従うゴルフ用ティの分解斜視図。
【図２】
本発明のティの断面図。
【図３】
本発明の使用状態を示す斜視図。
【図４】
本発明のティを携帯が簡便に組み立てた状態の斜視図。
【図５】
従来のティを示した斜視図。
【符号の説明】
１　本体
２　掛環
３　ティ挿入
４　ティ
５　ゴルフボール
６　ティ本体
７　ピン
７ａ　螺線
８　紐
９　紐引出孔
【図１】
2004501732.tif 000003
【図２】
2004501732.tif 000004
【図３】
2004501732.tif 000005
【図４】
2004501732.tif 000006
【図５】
2004501732.tif 000007
【国際公開パンフレット】
2004501732.tif 000008
2004501732.tif 000009
2004501732.tif 000010
2004501732.tif 000011
2004501732.tif 000012
2004501732.tif 000013
2004501732.tif 000014
2004501732.tif 000015
2004501732.tif 000016
2004501732.tif 000017
2004501732.tif 000018
2004501732.tif 000019
2004501732.tif 000020
2004501732.tif 000021
【国際調査報告】
2004501732.tif 000022